(57)【要約】      （修正有）【課題】濾材の寿命に応じて適切な交換時期を明確に知らしめる浄水カートリッジおよびそれを備えたポット型浄水器を提供する。【解決手段】給水容器２と給水容器２の下方に位置する浄水容器３とをつなぐ経路に配設され、給水容器２側の原水を濾過し浄水とする濾材が充填された浄水カートリッジ１０であって、給水容器２側の原水は、自重により浄水カートリッジ１０を通過し、この浄水カートリッジ１０の吐出口１８より浄水として浄水容器３に移動されるものであり、原水または浄水に含まれる成分と化学反応することにより浄水カートリッジ１０の交換時期を表示する交換時期表示手段１９を給水容器２または浄水容器３の外部から視認可能な位置に固着している。【選択図】図１
2012045485.tif 000002
【特許請求の範囲】
【請求項１】
給水容器と前記給水容器の下方に位置する浄水容器とをつなぐ経路に配設され、前記給水容器側の原水を濾過し浄水とする濾材が充填された浄水カートリッジであって、
前記給水容器側の前記原水は、自重により前記浄水カートリッジを通過し、この浄水カートリッジの吐出口より浄水として前記浄水容器に移動されるものであり、
前記原水または前記浄水に含まれる成分と化学反応することにより前記浄水カートリッジの交換時期を表示する交換時期表示手段を、前記給水容器または前記浄水容器の外部から視認可能な位置に固着したことを特徴とする浄水カートリッジ。
【請求項２】
前記交換時期表示手段を前記浄水カートリッジの底面に配設し、
前記浄水カートリッジは、前記吐出口を側面に設けたことを特徴とする請求項１に記載の浄水カートリッジ。
【請求項３】
前記交換時期表示手段を前記浄水カートリッジの側面に配設し、
前記交換時期表示手段が前記浄水に浸漬するように前記給水容器および前記浄水容器の容量が規定されていることを特徴とする請求項１に記載の浄水カートリッジ。
【請求項４】
前記交換時期表示手段は、前記原水と接触する位置に配置したことを特徴とする請求項１ないし３のいずれか一項に記載の浄水カートリッジ。
【請求項５】
前記交換時期表示手段は、還元性物質を含有し、前記還元性物質には、定着剤を混在させたことを特徴とする請求項４に記載の浄水カートリッジ。
【請求項６】
前記交換時期表示手段は、はがすことができる保護フィルムを配置して表面を被覆したことを特徴とする請求項１ないし５のいずれか一項に記載の浄水カートリッジ。
【請求項７】
請求項１ないし６のいずれか一項に記載の浄水カートリッジを備え、前記給水容器および前記浄水容器をその構成として有することを特徴とするポット型浄水器。
【発明の詳細な説明】
【技術分野】
【０００１】
本発明は、原水を流下させる際に浄化させる浄水カートリッジおよびそれを備えたポット型浄水器に関するものである。
【背景技術】
【０００２】
従来から、浄水カートリッジを備えた浄水器として、いわゆるポット型のものが知られている。このポット型の浄水器は、上側に位置する原水貯留部と、下側に位置する浄水貯留部との間に浄水カートリッジを介在させ、原水貯留部側に貯留される原水が自重により浄水カートリッジを通じて浄水貯留部側にまで流下する際に、浄水カートリッジ内にて原水を浄化する構造になっている。また、浄水カートリッジの消耗度合いや交換時期を示すための表示手段が浄水器の蓋部に配置される構造になっている。
【０００３】
図１０、１１、１２には、上記構造の浄水カートリッジ５０の消耗を示すための表示手段５２を具備するポット型浄水器５１として、特許文献１に記載のものを示す。この浄水カートリッジ５０の消耗を示す表示手段は、インジケータ５３であり、ポット型浄水器５１のふた５４の頂表面に固定されている。このように、ふた５４の上面にインジケータ５３を配置することにより、浄水カートリッジ５０の消耗状態や交換時期を安価で、容易に認識することができる発明が提案されている。
【０００４】
しかしながら、特許文献１に開示される上記のインジケータ５３にあっては、本体故障や電池消耗による異常や交換時の初期化忘れや誤操作による初期化を行った時などに、浄水カートリッジ５０の使用履歴が判らず、その寿命時期が判断できなくなる。その結果、浄水カートリッジ５０を交換寿命が来ても使用し続けたり、まだ使用できるにもかかわらず廃棄してしまうという問題がある。
【０００５】
そこで、図１３、１４に示すように、浄水カートリッジ５５にその交換時期を示すフィルタ５７が設けられたポット型浄水器５６も知られている。
【０００６】
このポット型浄水器５６は、特許文献２に開示されたものであり、浄水カートリッジ５５の一部を透明にし、そこからフィルタ５７を視認できるように構成されている。そして、原水がフィルタ５７と接触し汚染変色することを利用することで、汚染変色と浄水能力の低下時期とを一致させて、浄水カートリッジ５５の交換時期を使用者に知らしめている。
【先行技術文献】
【特許文献】
【０００７】
【特許文献１】特開平１１−３１９７９９号公報
【特許文献２】実開昭５８−１３２５８７号公報
【発明の概要】
【発明が解決しようとする課題】
【０００８】
しかしながら、特許文献２に開示される上記の浄水カートリッジ５５は、汚れが少ない水質の場合では、濾材の寿命に達していても変色せず、汚れが多い水質の場合では、濾材の寿命がまだ残っているにも拘らず汚染変色してしまうため、濾材の能力低下に応じた適切な浄水カートリッジ５５の交換時期を知ることが困難であるという問題があった。
【０００９】
本発明は、上記背景技術に鑑みて発明されたもので、その課題は、濾材の寿命に応じて適切な交換時期を明確に知らしめる浄水カートリッジおよびそれを備えたポット型浄水器を提供する。
【課題を解決するための手段】
【００１０】
上記課題を解決するために、本発明の浄水カートリッジは、給水容器と前記給水容器の下方に位置する浄水容器とをつなぐ経路に配設され、前記給水容器側の原水を濾過し浄水とする濾材が充填された浄水カートリッジであって、前記給水容器側の前記原水は、自重により前記浄水カートリッジを通過し、この浄水カートリッジの吐出口より浄水として前記浄水容器に移動されるものであり、前記原水または前記浄水に含まれる成分と化学反応することにより前記浄水カートリッジの交換時期を表示する交換時期表示手段を、前記給水容器または前記浄水容器の外部から視認可能な位置に固着したことを特徴とする。
【００１１】
また、本発明の浄水カートリッジにおいては、前記交換時期表示手段を前記浄水カートリッジの底面に配設し、前記浄水カートリッジは、前記吐出口を側面に設けることが好ましい。
【００１２】
また、本発明の浄水カートリッジにおいては、前記交換時期表示手段を前記浄水カートリッジの側面に配設し、前記交換時期表示手段が前記浄水に浸漬するように前記給水容器および前記浄水容器の容量が規定されていることが好ましい。
【００１３】
また、本発明の浄水カートリッジにおいては、前記交換時期表示手段は、前記原水と接触する位置に配置することが好ましい。
【００１４】
また、本発明の浄水カートリッジにおいては、前記交換時期表示手段は、還元性物質を含有し、前記還元性物質には、定着剤を混在させることが好ましい。
【００１５】
また、本発明の浄水カートリッジにおいては、前記交換時期表示手段は、はがすことができる保護フィルムを配置して表面を被覆することが好ましい。
【００１６】
また、本発明のポット型浄水器は、前記いずれかの浄水カートリッジを備え、前記給水容器および前記浄水容器をその構成として有することを特徴とする。
【発明の効果】
【００１７】
本発明の浄水カートリッジおよびそれを備えたポット型浄水器においては、濾材の寿命に応じて浄水カートリッジの適切な交換時期を明確に知らしめることが可能である。
【図面の簡単な説明】
【００１８】
【図１】本発明の実施形態１を示す浄水カートリッジの断面図。
【図２】同浄水カートリッジを備えたポット型浄水器の断面図。
【図３】同浄水カートリッジの正面図。
【図４】同浄水カートリッジの下面図であり、（ａ）は初期状態、（ｂ）は交換時期を示す。
【図５】同浄水カートリッジの説明図であり、（ａ）は初期状態、（ｂ）は交換時期を示す。
【図６】（ａ）は本発明の実施形態２を示す浄水カートリッジの断面図、（ｂ）は同浄水カートリッジの正面図。
【図７】本発明の実施形態３を示すポット型浄水器の断面図。
【図８】（ａ）は本発明の実施形態４を示す浄水カートリッジの正面図、（ｂ）は同浄水カートリッジの上面図であり、初期のものを示し、（ｃ）は同浄水カートリッジの上面図であり、交換時期のものを示す。
【図９】（ａ）は本発明の実施形態５を示す浄水カートリッジの断面図、（ｂ）は同浄水カートリッジの上面図であり、設定前のものを示し、（ｃ）は同浄水カートリッジの上面図であり、設定後のものを示す。
【図１０】従来例のポット型浄水器の上面図。
【図１１】同ポット型浄水器の断面図。
【図１２】同ポット型浄水器のインジケータの拡大図。
【図１３】別の従来例を示すポット型浄水器の断面図。
【図１４】同ポット型浄水器に備えた浄水カートリッジの斜視図。
【発明を実施するための形態】
【００１９】
（実施形態１）
図１ないし５は、本発明の実施形態１の浄水カートリッジ１０およびそれを備えたポット型浄水器１を示している。浄水カートリッジ１０は、給水容器２と給水容器２の下方に位置する浄水容器３とをつなぐ経路に配設され、給水容器２側の原水を濾過し浄水とする濾材が充填されている。給水容器２側の原水は、自重により浄水カートリッジ１０を通過し、この浄水カートリッジ１０の吐出口１８より浄水として浄水容器３に移動されるものである。そして、原水または浄水に含まれる成分と化学反応することにより浄水カートリッジ１０の交換時期を表示する交換時期表示手段１９を浄水容器３の外部から視認可能な位置に固着している。交換時期表示手段１９は、還元性物質を含有し、その還元性物質には、定着剤を混在させている。そして、交換時期表示手段１９は、はがすことができる保護フィルム２１を配置して表面を被覆している。
【００２０】
以下、本実施形態における浄水カートリッジ１０について具体的詳細に説明する。
図１から図５に示すように、浄水カートリッジ１０は、導水口１７を有する上ケース１２と最下部に吐出口１８を有する下ケース１１とを超音波溶着などで接着して容器を形成している。その容器は、原水を浄化する濾材となる上流側の吸着浄水部１４と、吸着浄水部１４を通過した原水をさらに浄化する下流側の濾過浄水部１５と、を内部に有している。ここで、吸着浄水部１４の濾材としてセラミックを配合した活性炭、濾過浄水部１５の濾材として、中空糸膜フィルタが用いられている。吸着浄水部１４は、活性炭の吸着作用によって原水を浄化する。また、濾過浄水部１５は、中空糸膜フィルタの濾過作用によって吸着浄水部１４で浄化された原水をさらに浄化する。この吸着浄水部１４と濾過浄水部１５とは、原水貯留部８内の原水を通過させながら順次浄化し、吐出口１８から浄水貯留部９内に浄水を吐出するよう構成されている。
【００２１】
また、この浄水カートリッジ１０内の吸着浄水部１４の上方には、ミネラル添加ケース１３が配置されている。その内部に充填されたミネラル剤１６は、導水口１７から導水された原水にミネラル成分を添加する。 
【００２２】
さらに、下ケース１１の底面には、浄水カートリッジ１０の交換時期を示す交換時期表示手段１９（交換時期表示シート１９）が設けられている。交換時期表示手段１９は、吐出口１８の周囲を囲むようにドーナッツ形状の交換時期表示シート１９である。この交換時期表示シート１９は、不織物に還元性物質としてクチナシ色素を含浸したものである。また、交換時期表示シート１９の表面は、初期状態において酸化による劣化を防止するため保護フィルム２１で被覆されており、これは使用開始時に剥離する。
【００２３】
次に、浄水カートリッジ１０を備えたポット型浄水器１について、具体的詳細に説明する。
【００２４】
図２に示すように、浄水カートリッジ１０を備えたポット型浄水器１は、水道水等の原水を供給して一旦貯留させておく原水貯留部８（給水容器２）と、原水貯留部８の底部に装着される浄水カートリッジ１０と、原水貯留部８および浄水カートリッジ１０の下方に位置する浄水貯留部９（浄水容器３）と、原水給水口６および浄水吐水口７を覆う本体最上部に位置する上蓋５と、を備えている。原水貯留部８内に貯留される原水が自重により浄水カートリッジ１０を通過して浄水貯留部９内にまで流下する際に、原水は、浄水カートリッジ１０により浄化されるようになっている。
【００２５】
ポット型浄水器１は、上端が開口した有底筒型の浄水容器３と、浄水容器３の上端開口から挿入されてその浄水容器３内に配置される同じく上端が開口した有底筒型の給水容器２と、を備えている。給水容器２は、浄水容器３の上半部に対して所定の隙間２２を除く部分で嵌合することで、給水容器２内に上記の原水貯留部８を形成するとともに、給水容器２の底壁と浄水容器３の底壁との間に上記浄水貯留部９を形成している。上記の隙間２２は浄水貯留部９から上方に延設されるように形成され、浄水を注ぐ際の注ぎ路として機能する。
【００２６】
給水容器２の上端開口には、上蓋５を嵌め込み固定している。上蓋５の中央には給水口２３を開口させたり、その上方から塞いだりするフラップ２４を設けている。フラップ２４後端部には軸孔２５が設けられていて、上蓋５において給水口２３よりも後方に設置される円柱状の軸２６を軸孔２５内に回動自在に嵌合させることで、フラップ２４を給水口２３に対して開閉自在としている。また、上蓋５の先端には、浄水吐水口７が位置し、その浄水吐水口７を覆うように開閉自在な注ぎ蓋２８が設けてられていて、浄水を注ぐ際の注ぎ路である隙間２２と連通している。
【００２７】
原水貯留部８の底面は、その最下部に向けて緩やかに下り傾斜に形成しており、浄水カートリッジ１０は、給水容器２の最下部からさらに下方に凹設される装着凹段部２７内に上方から嵌め込んで装着される。装着凹段部２７の底部中央は開口しており、装着凹段部２７内に装着される浄水カートリッジ１０を介して、原水貯留部８とこれの下方に位置する浄水貯留部９とが連通されている。
【００２８】
次に、浄水カートリッジ１０を備えたポット型浄水器１を用いて原水を浄水に浄化する動作について説明する。
【００２９】
まず、上蓋５のフラップ２４を上方に回動させて給水口２３を開き、給水口２３を通じて水道水等の原水を原水貯留部８内に供給する。供給された原水は、原水貯留部８内に一旦貯留されるとともに、浄水カートリッジ１０の上ケース１２に備えた多数の導水口１７を通じて浄水カートリッジ１０内に導入される。導入された原水の一部は、副流路としてミネラルケース１３内に送られる。ミネラルケース１３内に送られた原水の副流路は、ミネラル剤１６のミネラル成分を溶出させ、主流路と合流して吸着浄水部１４へと送られる。原水は、吸着浄水部１４で吸着剤の吸着作用により浄化され、続いて、濾過浄水部１５に導入され、中空糸膜フィルタの濾過作用により、更に濁り成分を濾過することで浄化される。その後、浄水カートリッジ１０の最下端に開口される吐出口１８を通じて下方の浄水貯留部９内に順次流下して、ミネラル成分が添加された浄水が得られる。
【００３０】
浄水を注ぐときは、ポット型浄水器１を傾けることにより、浄水が隙間２２を経由して、浄水吐水口７から注がれる。
【００３１】
また、浄水カートリッジ１０は、使用初期において汚れ等の洗浄の前処理操作をした後、保護フィルム２１を剥離して通常使用を開始する。この時、図４（ａ）および図５（ａ）に示すように、交換時期表示シート１９は黄色に着色している。ポット型浄水器１の使用時において、交換時期表示シート１９は、吐出口１８の近傍に配置されており、吐出される浄水が交換時期表示シート１９に接触することで残留塩素の有無を知ることができる。また、給水容器２および浄水容器３は、透明な材質であるので、外側から交換時期表示シート１９を視認することができる。
【００３２】
本実施形態では、図４（ｂ）および図５（ｂ）に示すように、活性炭の劣化により残留塩素が浄水へ漏出し、還元性物質であるクチナシ色素が残留塩素と反応して脱色される。なお、シートにはクチナシ色素と同系色の文字で「交換」などの目印となる文字等を印字しておくと、クチナシ色素部分が脱色された場合、印字が浮き出るため、浄水カートリッジ１０の交換時期をより認知しやすくなる。
【００３３】
以上のように本実施形態によれば、原水または浄水に含まれる成分と化学反応することにより浄水カートリッジ１０の交換時期を表示する交換時期表示シート１９は、給水容器２または浄水容器３の外部から視認可能な位置に固着されている。これより、浄水カートリッジ１０自体で交換時期を判別できる。さらに、交換時期表示シート１９の色変化によって視覚的に交換時期を知ることができるので、交換時期を誤る恐れが少なく、確実に交換時期を知らせることができる。
【００３４】
また、交換時期表示シート１９は、還元性物質を含有し、その還元性物質には、定着剤を混在させている。これより、交換時期表示シート１９から還元性物質の剥離を防止することができる。
【００３５】
また、交換時期表示シート１９は、はがすことができる保護フィルムを配置して表面を被覆している。これより、還元性物質の酸化劣化を抑制でき、流通段階での在庫時における空気酸化を防止し、交換時期表示シート１９は、使用時に安定した判定を行うことができる。
【００３６】
また、上記の浄水カートリッジ１０は、性能劣化に応じて交換時期を判別できるので、水質のバラツキがあっても適切に交換時期を判別することが可能である。
【００３７】
なお、本実施形態において、還元性物質としてクチナシ色素を用いたが、これに限定するものではなく銀を添着してもよい。銀は、初期状態として光沢のない白銀色であるが、残留塩素と反応することで塩化銀を生成し、黒色に変色する。この時、交換時期表示シート１９には初期状態の銀と同系色の文字で「交換」などの目印となる文字等を印字しておくと、銀が添着された部分が黒色に変色した場合、印字が浮き出るため、浄水カートリッジ１０の交換時期をより認知しやすくなる。また、銀は、残留塩素との反応速度が、クチナシ色素に比べて比較的遅いので、浄水カートリッジ１０の交換時期に合うように、交換時期表示シート１９に含有する銀およびクチナシ色素の含有濃度は、それぞれ調整される。
【００３８】
また、本実施形態の交換時期表示手段１９として、還元性物質を含浸または添着して着色した交換時期表示シート１９を用いたが、前記還元性物質に定着剤を混在させて交換時期表示シート１９の基材となるシート上に塗布してもよい。還元性物質として銀のように密着性が弱い場合は、密着性を向上させることができ、信頼性が高まるので有効である。また、下ケース１１の材料表面へ直接に塗布したり、印刷してもよく、この場合、コストダウンを図ることができて有効である。
【００３９】
（実施形態２）
図６は、本発明の実施形態２である浄水カートリッジ１０を示す。上記実施形態１と重複する構成についての、詳しい説明は省略する。また、実施形態１の符号を付したものは、同様のものであるため、説明を省略する。実施形態２が実施形態１と異なる部分は、浄水カートリッジ１０の下部に備えた浄水の吐出口１８の構造であり、その詳細を説明する。
【００４０】
本実施形態の浄水カートリッジ１０およびそれを備えたポット型浄水器１は、交換時期表示シート１９を浄水カートリッジ１０の底面に配設している。また、浄水カートリッジ１０は、吐出口１８（第２吐出口１８ｂ）を側面に設けている。
【００４１】
浄水カートリッジ１０には、下ケース１１の最下部に主流路となる第１吐出口１８ａと、下ケース１１の下部側面に複数のスリット形状の第２吐出口１８ｂとが形成されている。交換時期表示シート１９は、第１吐出口１８ａと第２吐出口１８ｂとの間に位置するように形成されている。第２吐出口１８ｂは、一つ以上であれば、複数あっても構わない。
【００４２】
このような構成にすることにより、第１吐出口１８ｂから吐出される浄水が交換時期表示シート１９を通り、その後、第１吐出口１８ａと合流して浄水貯水部９内に貯水される。
【００４３】
以上のように本実施形態によれば、交換時期表示シート１９を浄水と積極的に接触させることができるので、より正確に浄水カートリッジ１０の交換時期を判別することができる。
【００４４】
（実施形態３）
図７は、本発明の実施形態３である浄水カートリッジ１０を備えたポット型浄水器１を示す。上記実施形態１と重複する構成についての、詳しい説明は省略する。実施形態３が実施形態１と異なる部分は、ポット型浄水器１の原水貯留部８と浄水貯留部９の容量を規定したことと、浄水カートリッジ１０の下部に備えた交換時期表示手段１９の位置を側面に設けたところであり、その詳細を説明する。
【００４５】
本実施形態の浄水カートリッジ１０およびそれを備えたポット型浄水器１は、交換時期表示シート１９を浄水カートリッジ１０の側面に配設し、交換時期表示シート１９が浄水に浸漬するように給水容器２および浄水貯留部９の容量を規定している。
【００４６】
また、給水容器２の原水貯留部８の規定水量（図７の線Ｂ）は、浄水容器３の浄水貯留部９において、浄水カートリッジ１０の側面に設けた交換時期表示シート１９が浄水に浸漬する水量（図７の線Ａ）となるように構成している。また、交換時期表示シート１９は、浄水カートリッジ１０の下部側面に配置しているが、実施形態１のように底面にも設けてもよく、特に限定するものでない。
【００４７】
本実施形態では、吐出口１８が水没すると原水貯留部８から浄水貯留部９への自然落下の抵抗が急激に大きくなり、ろ過時間が長くなる。そのため、原水貯留部８の規定水量は、浄水貯留部９において、その浄水水面が交換時期表示シート１９を水没させる位置に達する水量としている。なお、給水容器２の底面を下げて、交換時期表示手段１９をさらに下方に設置するようにしてもよい。
【００４８】
以上のように本実施形態によれば、交換時期表示シート１９を浄水カートリッジ１０の側面に配設し、交換時期表示シート１９が浄水に浸漬するように給水容器２および浄水貯留部３の容量を規定した。これより、交換時期表示シート１９は、視認性を良くすることができ、浄水と積極的に接触させることができるので、より正確に交換時期を判別することができる。
【００４９】
（実施形態４）
図８は、本発明の実施形態４である浄水カートリッジ１０を示す。上記実施形態１と重複する構成についての、詳しい説明は省略する。実施形態４が実施形態１と異なる部分は、浄水カートリッジ１０の交換時期表示シート１９が原水と接触する位置である、上ケースの上部に設けられたところであり、その詳細を説明する。
【００５０】
本実施形態の浄水カートリッジ１０およびそれを備えたポット型浄水器１において、交換時期表示シート１９は、還元性物質を含有し、原水と接触する位置に配置されている。原水と接触する位置に配置とは、浄水カートリッジ１０における上ケース１２の上部に交換時期表示シート１９が配置されていることである。
【００５１】
ここで、交換時期表示シート１９に含まれる還元性物質として、銀を用いると、残留塩素との反応性がクチナシ色素に比べて比較的が遅い。これより、銀の粉末を使用し、添着剤としてアクリル系エマルジョンをそれぞれ混合した液を塗布した交換時期表示シート１９を上ケース１２の上面に接着している。交換時期表示シート１９は、上ケース１２の上面に接着されていることで、原水と接触する。この場合、原水に含まれる残留塩素は、浄水に含まれる残留塩素よりも多いので、反応速度が遅い銀を用いた方がよい。なお、クチナシ色素を用いてもよいが、その場合は、銀との反応時間を合わせて、浄水カートリッジ１０の交換時期に合うように、交換時期表示シート１９に含ませるクチナシ色素の含有濃度を調整する。
【００５２】
このような構成にすることにより、製品を使用する際に、原水貯留部８に給水された原水と交換時期表示シート１９が接触し、還元性物質である銀は、初期状態において、図８（ｂ）に示すように、銀白色であるのに対し、原水に含まれる残留塩素と反応すると、図８（ｃ）に示すように、徐々に黒色に変色する。この時、シートには、同系色の文字で「交換」などの目印となる文字等を印字しておくと、変色した場合に印字が浮き出るため、浄水カートリッジ１０の交換時期をより認知しやすくなる。
【００５３】
以上のように、本実施形態によれば、交換時期表示シート１９が原水と接触する位置に配置されていることより、交換時期表示シート１９の視認性をさらに良くすることができる。
【００５４】
（実施形態５）
図９は、本発明の実施形態５である浄水カートリッジ１０を示す。上記実施形態１と重複する構成についての、詳しい説明は省略する。実施形態５が他の実施形態１ないし実施形態４と異なる部分は、浄水カートリッジ１０に異なる交換時期表示手段１９を設けたものであり、その詳細を説明する。
【００５５】
図９に示すように、浄水カートリッジ１０の上ケース１２の上部にインジケータ２２を配置した。上ケース１２の上面に１２ヶ月に区分された月数字が印刷された印字部２３を有しており、その上方に重なるように表示カバー２４が上ケース１２のツメ２５と勘合して固定されている。さらに、図９（ｂ）に示すように、表示カバー２４は１２個に区分されており、引き上げて取り外すことができるように構成されている。また、印字部２３は、それぞれに、月に相当する数字が印字されている。この印字部２３は、銀の粉末を使用し、添着剤としてアクリル系エマルジョンをそれぞれ混合した液で印刷してもよい。このような構成にすることにより、図９（ｃ）に示すように、使用開始時に表示カバー２４に表示された数字の一部を抜いて次に交換する月数の部位を表示させることができるので、交換時期の目安となる。そして、原水または浄水と反応し、月数を表示した印字部２３は、徐々に黒色に変化するので、色の変化によっても、より正確に交換時期を判断できる。
【００５６】
以上のように本実施形態によれば、簡単な構成により、カートリッジ交換時期を知ることができるので、交換時期の誤認を少なくすることができる。
【符号の説明】
【００５７】
１  ポット型浄水器
２  給水容器（原水貯留部８）
３  浄水容器（浄水貯留部９）
５  上蓋
６  原水給水口
７  浄水吐水口
１０  浄水カートリッジ
１１  下ケース
１２  上ケース
１３  ミネラルケース
１４  吸着浄水部
１５  濾過浄水部
１６  ミネラル剤
１７  導水口
１８  吐出口
１９  交換時期表示手段（交換時期表示シート１９）
２１  保護フィルム
【図１】
2012045485.tif 000003
【図２】
2012045485.tif 000004
【図３】
2012045485.tif 000005
【図４】
2012045485.tif 000006
【図５】
2012045485.tif 000007
【図６】
2012045485.tif 000008
【図７】
2012045485.tif 000009
【図８】
2012045485.tif 000010
【図９】
2012045485.tif 000011
【図１０】
2012045485.tif 000012
【図１１】
2012045485.tif 000013
【図１２】
2012045485.tif 000014
【図１３】
2012045485.tif 000015
【図１４】
2012045485.tif 000016